(57)【要約】【課題】施工現場への搬入作業が容易で、且つ、施工現場での施工性も良好な支持ブロックを提供する。【解決手段】支持対象物に対する連結具が係合可能な係合部２、又は、支持対象物が載置可能な載置部３、若しくはそれらの両方が上部に備えられている支持ブロック１であって、重量調整用の充填材Ｊを充填する充填空間４が内部に形成されているとともに、充填空間４を外部に開口させる充填材挿脱用の挿脱口と、挿脱口を開閉操作自在な開閉扉６とが設けられている。【選択図】図３
2009185913.tif 000002
【特許請求の範囲】
【請求項１】
支持対象物に対する連結具が係合可能な係合部、又は、支持対象物が載置可能な載置部、若しくはそれらの両方が上部に備えられている支持ブロックであって、
重量調整用の充填材を充填する充填空間が内部に形成されているとともに、
前記充填空間を外部に開口させる充填材挿脱用の挿脱口と、前記挿脱口を開閉操作自在な開閉扉とが設けられている支持ブロック。
【請求項２】
前記挿脱口及び前記開閉扉が底面部に設けられている請求項１記載の支持ブロック。
【請求項３】
前記開閉扉が、被設置面に対する設置面を構成する状態で底面部に設けられている請求項１又は２記載の支持ブロック。
【請求項４】
前記開閉扉が、横方向へのスライド移動で前記挿脱口を開閉するスライド扉から構成されている請求項２又は３記載の支持ブロック。
【発明の詳細な説明】
【技術分野】
【０００１】
本発明は、管類（例えば、電線管や給排水管等）や機器類（例えば、空調機の室外機等）等の支持対象物を地面や土間等の被設置面の上方側で支持する支持ブロックに関し、
詳しくは、支持対象物に対する連結具が係合可能な係合部、又は、支持対象物が載置可能な載置部、若しくはそれらの両方が上部に備えられている支持ブロックに関する。
【背景技術】
【０００２】
この種の支持ブロックは、支持対象物を安定的に支持するため、ある程度の重量が必要になる。そして、従来、中実のコンクリートから構成されたもの（下記特許文献１参照）、及び、外郭を構成する合成樹脂製の型枠ケースにコンクリートを流し込んで硬化させることによって、コンクリートと型枠ケースとを一体化して構成されたもの（下記特許文献２参照）が知られている。
【０００３】
【特許文献１】実開平３−１２３１８２号公報
【特許文献２】特開平８−４２７６１号公報
【発明の開示】
【発明が解決しようとする課題】
【０００４】
ところが、上記の如き従来の支持ブロックでは、以下（１）、（２）の問題がある。
（１）予め工場等で製作する場合には、支持ブロック自身の重量が大きいために、施工現場への搬入作業が面倒である。
（２）施工現場で製作する場合には、コンクリートを施工現場に搬入し、施工現場で型枠への流し込み作業を行うが、コンクリートが硬化するまでの間は施工することができないため、施工現場での施工性が不十分である。
【０００５】
本発明は、上述の実情に鑑みて為されたものであって、その主たる課題は、施工現場への搬入作業が容易で、且つ、施工現場での施工性も良好な支持ブロックを提供する点にある。
【課題を解決するための手段】
【０００６】
本発明の第１特徴構成は、支持ブロックに係り、その特徴は、
支持対象物に対する連結具が係合可能な係合部、又は、支持対象物が載置可能な載置部、若しくはそれらの両方が上部に備えられている支持ブロックであって、
重量調整用の充填材を充填する充填空間が内部に形成されているとともに、
前記充填空間を外部に開口させる充填材挿脱用の挿脱口と、前記挿脱口を開閉操作自在な開閉扉とが設けられている点にある。
【０００７】
上記構成によれば、前記開閉扉による前記挿脱口の開閉操作で重量調整用の充填材を任意のタイミングで挿脱することができるから、施工現場への搬入工程、施工現場での前記充填材の充填工程、施工現場での前記開閉扉の閉じ操作工程の順に施工することができる。従って、重量調整用の充填材が挿入されていない軽量な状態で施工現場に搬入することが可能となって、搬入作業の容易化を図ることができる。
【０００８】
また、開閉扉による充填空間の閉塞によって、例えば、砂などの硬化しないタイプの充填材を使用することができるとともに、充填材として流動コンクリートなどの硬化するタイプの充填材を使用した場合でも、硬化時間を待つ時間を不存とすることができる。従って、施工現場での施工性も良好に確保することができる。
【０００９】
しかも、充填材の充填量についても任意に設定することができるとともに、硬化しないタイプの充填材を使用する場合には、開閉扉の開閉操作によって充填量の変更も容易に行うことができる。
【００１０】
本発明の第２特徴構成は、第１特徴構成の実施に好適な構成であり、その特徴は、
前記挿脱口及び前記開閉扉が底面部に設けられている点にある。
【００１１】
上記構成によれば、被設置面への設置状態において前記挿脱口及び前記開閉扉を視認し難くすることができるから、不審者等によって不測に充填材が挿脱操作されるのを効果的に抑止することができる。
【００１２】
本発明の第３特徴構成は、第１又は第２特徴構成の実施に好適な構成であり、その特徴は、
前記開閉扉が、被設置面に対する設置面を構成する状態で底面部に設けられている点にある。
【００１３】
上記構成によれば、被設置面への設置状態では、重力によって開閉扉が被設置面に押圧されるから、その重力による押圧力で設置状態において開閉扉が不測に開くのを効率的に抑止することができる。従って、例えば、充填材の重量によって開閉扉が開くなどのことで、充填材が挿脱口を通じて不測に毀れるのを効果的に抑止することができる。
【００１４】
本発明の第４特徴構成は、第２又は第３特徴構成の実施に好適な構成であり、その特徴は、
前記開閉扉が、横方向へのスライド移動で前記挿脱口を開閉するスライド扉から構成されている点にある。
【００１５】
上記構成によれば、充填材を充填した後、被設置面に設置操作する際において、開閉扉が重力（或いは、充填材の重量）などによって不測に開くのを防止できる。そのため、施工現場での施工性を一層効果的に高めることができる。
【発明を実施するための最良の形態】
【００１６】
図２〜図１１は、電線管や給排水管等の管類Ｐ（図１（ａ）を参照）や空調機の室外機等の機器類Ｋ（図２（ｂ）を参照）などの支持対象物を被設置面Ｇの上方側で支持する支持ブロック１を示す。
【００１７】
前記支持ブロック１は、樹脂（本例では、再生プラスチック）製の横断面視略台形状の箱体から構成されている。また、支持ブロック１の上部には、管類Ｐに対する連結具Ｔが係合可能な係合部２と、機器類Ｋが載置可能な載置部３とが備えられている。
【００１８】
前記係合部２は、所謂、アリ溝から構成されている。具体的には、係合部２は、支持ブロック１の上面部１Ａの横幅方向中央位置において縦長さ方向（前後方向）に沿って凹設された凹溝２ａと、この凹溝２ａの両側壁部の上端部の各々に突設された係合片２ｂとから構成されている。
【００１９】
すなわち、図１（ａ）に示すように、前記連結具Ｔの下片部ｔ１を前記凹溝２ａに入り込ませて、その下片部ｔ１の上方側に凹設された被係合凹部ｔ２と前記係合片部２ｂとを係合させた状態で、管類Ｐを被設置面Ｇの上方側で支持可能に構成されている。なお、連結具Ｔの上方側には、管類Ｋを挟持状態で保持する保持部ｔ３が設けられている。
【００２０】
また、前記載置部３は、支持ブロック１の上面部１Ａから構成されている。すなわち、図１（ｂ）に示すように、機器類Ｋの底面部を支持ブロックの上面部１Ａに載置した状態で、機器類Ｋを被設置面Ｇの上方側で支持可能に構成されている。なお、１ａは、機器類Ｋの加重で前記係合片が破損するのを抑止するために上面部１Ａに設けられた突条である。
【００２１】
そして、前記支持ブロック１の内部には、重量調整用の充填材Ｊを充填する充填空間４が刳り貫き形成されているとともに、支持ブロック１の底面部（換言すれば、下面部）１Ｂには、前記充填空間４を外部に開口させる充填材挿脱用の挿脱口５を開閉操作自在な開閉扉６が設けられている。
【００２２】
そのため、当該支持ブロック１は、前記開閉扉６による前記挿脱口５の開閉操作で重量調整用の充填材Ｊを任意のタイミングで挿脱することができるとともに、充填材Ｊの充填量についても任意に設定することができる。また、開閉扉６の開閉操作によって充填材Ｊの充填量の変更も容易に行うことができる。
【００２３】
なお、前記充填材Ｊとしては、本例では、下水をリサイクルした砂状の溶融スラグを用いている。
【００２４】
前記開閉扉６は、被設置面Ｇに対する設置面を構成する状態で底面部１Ｂに設けられている。そのため、被設置面への設置状態において前記挿脱口及び前記開閉扉を視認し難くすることができるとともに、被設置面Ｇへの設置状態では、重力（管類Ｐや機器類Ｋや支持ブロック１や充填材Ｊの重量）によって開閉扉６が被設置面Ｇに押圧されるから、その重力による押圧力で設置状態において開閉扉６が不測に開くのを効率的に抑止することができる。
【００２５】
また、支持ブロック１には、被設置面Ｇとの摩擦抵抗を増大させる被設置面用の滑り止め手段と、支持ブロック１の設置による被設置面Ｇの損傷を抑止する損傷抑止手段と、開閉扉６の開閉操作する操作者の操作部位（例えば、指腹など）と開閉扉６との摩擦抵抗を増大させる操作者用の滑り止め手段が設けられている。
【００２６】
前記各滑り止め手段及び損傷抑止手段は、前記開閉扉６の外面（本例では、下面）に貼設された樹脂製（本例では、排タイヤをリサイクルした合成ゴム製）のシート状物７から構成されている。
【００２７】
前記開閉扉６は、図５（ａ）、（ｂ）に示すように、横方向（本例では、縦長さ方向）へのスライド移動で前記挿脱口５を開閉するスライド扉（換言すれば、引き戸構造）から構成されている。具体的には、前記開閉扉６の両側縁端部及び後縁端部の厚み方向中央位置には、支持ブロック１における前記挿脱口５の内周縁部に凹設されたレール溝５ａに入り込む縁片部６ａが延設されている。
【００２８】
すなわち、開閉扉６の縁片部６が支持ブロック１のレール溝５ａ内を縦長さ方向に沿って摺動する状態で挿脱口５を開閉操作するように構成されている。そのため、充填材Ｊを充填した後、支持ブロック１を被設置面Ｇに設置操作する際において、開閉扉６が重力によって不測に開くのを防止できる。また、縁片部６によって、開閉扉６と挿脱口５との隙間から充填材Ｊが毀れることも効果的に抑止することができる。
【００２９】
８は、支持ブロック１どうしを縦長さ方向に並べて連結する連結ピン（図示しない）を挿設するための連結用穴である。当該連結用穴８は、支持ブロック１の前面部（正面部）１Ｃ及び後面部（背面部）１Ｄの各々に一対づつ設けられている。
【００３０】
なお、当該支持ブロック１の大きさは、幅Ｗが１１０ｍｍ、高さＨが９７ｍｍ、長さＬが１４５ｍｍ程度である（図２参照）。
【００３１】
〔その他の実施形態〕
（１）前述の実施形態では、係合部２が、管類Ｐに対する連結具Ｔが係合可能に構成されている場合を例に示したが、係合部２の具体的構成は、支持対象物の種別に応じて種々の構成変更が可能である。例えば、係合部２は、図１２、図１３に示すように、機器類Ｋをに対する連結具Ｔ′が係合可能に構成されていたりしてもよい。
【００３２】
本例では、当該連結具Ｔ′は、機器類Ｋの下部に設けられた取付片部ｋ１と前記係合部２とを係合させるボルトｔ４とナットｔ５とから構成されている。そして、係合部２の溝幅が、ボルトｔ４の回転を溝内面で接当規制するように、ボルトｔ４の外形寸法（詳しくは、ボルトｔ４の頭部の外形寸法）と同一又はそれよりも僅かに大なる寸法で構成されている。
【００３３】
（２）前述の実施形態では、支持対象物に対する連結具が係合可能な係合部２と、支持対象物が載置可能な載置部３との両方が支持ブロック１に備えられている場合を例に示したが、何れか一方だけが備えられていてもよい。例えば、支持ブロック１が、それの上面部を支持対象物が載置可能な載置部とする横断面視台形状から構成されていてもよい。
【００３４】
（３）前述の実施形態では、前記挿脱口５や前記開閉扉６が底面部１Ｂに形成されている場合を例に示したが、周側面部や上面部１Ａに形成されていてもよい。
【００３５】
（４）前述の実施形態では、前記開閉扉６が被設置面Ｇに対する設置面を構成する状態で底面部１Ｂに設けられている場合を例に示したが、例えば、被設置面Ｇから上方側に後退した部位などの設置面を構成しない状態で底面部１Ｂに設けられていてもよい。
【００３６】
（５）開閉扉６の具体的構造は、前述の実施形態で示した片引きタイプの引き戸構造に限らず、引き違いタイプや引き分けタイプの引き戸構造、片開きタイプや両開きタイプの開き戸構造、折れ戸構造などの種々の構造を採用することができる。
【００３７】
（６）前述の実施形態では、重量調整用の充填材Ｊとして砂状の溶融スラグを例に示したが、例えば、施工現場の廃材や砂、或いは、コンクリート塊、モルタル、砂利など、種々の材料を採用することができる。
【００３８】
（７）前述の実施形態では、図５に示すように、開閉扉６が支持ブロック１から着脱自在に構成されている場合を例に示したが、挿通口５を所定面積分だけ開口させた開口位置からの離脱を防止するストッパ等を設けることで、開閉扉６が支持ブロック１から着脱不能に構成されていてもよい。
【００３９】
（８）支持ブロック１の素材や形状、大きさ等の具体的構成は、前述の実施形態で示した如き構成に限らず、種々の構成変更が可能である。
【図面の簡単な説明】
【００４０】
【図１】支持ブロックの使用状態を示す説明図
【図２】支持ブロックの斜視図
【図３】図２のＩＩＩ−ＩＩＩ線断面図
【図４】図２のＩＶ−ＩＶ線断面図
【図５】支持ブロックの使用方法を示す説明図
【図６】支持ブロックの正面図
【図７】支持ブロックの背面図
【図８】支持ブロックの左側面図
【図９】支持ブロックの右側面図
【図１０】支持ブロックの平面図
【図１１】支持ブロックの底面図
【図１２】その他の実施形態における支持ブロックの使用状態を示す説明図
【図１３】図１２のＩＶ−ＩＶ線断面図
【符号の説明】
【００４１】
Ｇ        被設置面
Ｈ        支持対象物（管類）
Ｔ、Ｔ´  連結具
Ｋ        支持対象物（機器類）
１        支持ブロック
１Ｂ      底面部
２        係合部
３        載置部
４        充填空間
５        挿脱口
６        開閉扉
Ｊ        充填材
【図１】
2009185913.tif 000003
【図２】
2009185913.tif 000004
【図３】
2009185913.tif 000005
【図４】
2009185913.tif 000006
【図５】
2009185913.tif 000007
【図６】
2009185913.tif 000008
【図７】
2009185913.tif 000009
【図８】
2009185913.tif 000010
【図９】
2009185913.tif 000011
【図１０】
2009185913.tif 000012
【図１１】
2009185913.tif 000013
【図１２】
2009185913.tif 000014
【図１３】
2009185913.tif 000015